(57)【要約】【課題】  滞納者毎の電話番号を示す発信情報で架電するので、同一世帯に複数の滞納者が存在すると、多重架電となり、通信コストが増大。【解決手段】  滞納者を識別するための滞納者識別データと滞納状況を示す滞納状況データ、電話番号データ、滞納者の属する世帯を識別するための世帯識別データとを対応づけた滞納者情報テーブルを備え、滞納者情報テーブルから世帯の共通情報の一致するいずれかの滞納者の電話番号データを世帯の代表電話番号として抽出した電話番号データを含む発信情報を生成し、該発信情報に基づく架電を行うと共に、該世帯識別データの一致する各滞納者の滞納者識別データに基づいて、前記滞納者情報テーブルから各滞納者の対応する滞納状況データを世帯滞納状況データとして取得し、該データに基づく世帯滞納状況を示す世帯催告業務画面を表示。【選択図】        図１
2006344016.tif 000002
【特許請求の範囲】
【請求項１】
滞納者の電話番号を示す発信情報に基づいて架電を行う架電部を備える電話催告システムにおいて、
滞納者を識別するための滞納者識別データと、少なくとも、各滞納者の属する世帯を識別するための世帯識別データ、各滞納者の滞納状況を示す滞納状況データおよび各滞納者の電話番号を示す電話番号データとが対応づけられた滞納者情報テーブルと、
前記滞納者情報テーブルから世帯共通情報の一致するいずれかの滞納者の電話番号データを世帯の代表電話番号として抽出し、該抽出した電話番号データを含む発信情報を生成し、該発信情報を前記架電部に出力する発信情報生成部と、
前記世帯識別データの一致する各滞納者の滞納者識別データに基づいて、前記滞納者情報テーブルから各滞納者の対応する滞納状況データを世帯滞納状況データとして取得するデータ取得部と、
取得した世帯滞納状況データに基づく世帯滞納状況を示す世帯催告業務画面を表示部に表示させる表示制御部とを備えることを特徴とする電話催告システム。
【請求項２】
前記発信情報生成部は、前記滞納者情報テーブルから世帯識別データおよび電話番号データの一致するいずれかの滞納者の電話番号データを世帯の代表電話番号として抽出し、該抽出した電話番号データを含む発信情報を生成し、該発信情報を前記架電部に出力することを特徴とする請求項１記載の電話催告システム。
【請求項３】
前記発信情報生成部は、前記滞納者情報テーブルから電話番号データの一致するいずれかの滞納者の電話番号データを世帯の代表電話番号として抽出し、該抽出した電話番号データを含む発信情報を生成し、該発信情報を前記架電部に出力することを特徴とする請求項１記載の電話催告システム。
【請求項４】
前記発信情報生成部は、前記滞納者情報テーブルから世帯識別データの一致するいずれかの滞納者の電話番号データを世帯の代表電話番号として抽出し、該抽出した電話番号データを含む発信情報を生成し、該発信情報を前記架電部に出力することを特徴とする請求項１記載の電話催告システム。
【発明の詳細な説明】
【技術分野】
【０００１】
本発明は、自治体等で滞納者に対して電話催告を行う電話催告システムに関し、特に、複数の滞納者が存在する世帯への架電制御を行う電話催告システムに関する。
【背景技術】
【０００２】
自治体等で税金などの滞納者に対して電話催告を行う電話催告システムが知られている（特許文献１参照）。このような電話催告システムは、例えば、予め付与された滞納者を識別するための個人番号データと、氏名、住所、電話番号等を示す滞納者データおよび各滞納者の滞納状況を示す滞納状況データとが対応づけられた滞納者情報テーブルが格納されたデータベースを備えており、まず、管理者から端末を介して発信情報生成指示を受けると、滞納者情報テーブルから、個人番号データと、該個人番号に対応する氏名データおよび電話番号データを抽出した滞納者毎の電話番号を示す発信情報を生成すると共に、該発信情報をメモリに登録する。そして、オペレータから端末を介して催告指示を受けると、該登録された発信情報に基づいて架電すると共に、オペレータの端末には架電された滞納者の個人番号に対応する滞納者データおよび滞納状況データに基づいた催告業務画面を表示させ、オペレータは、該表示された催告業務画面にしたがって各滞納者に対して電話催告を行っていた。
【特許文献１】特開平５−４８７７６号公報
【発明の開示】
【発明が解決しようとする課題】
【０００３】
しかしながら、上記した電話催告システムには次のような解決すべき課題があった。即ち、生成された発信情報が示す電話番号に基づいて、各滞納者に対して個別に架電が行われることから、同一世帯に複数の滞納者が存在する場合、該世帯に対して多重架電を行うこととなり通信コストが増大する問題があった。
【課題を解決するための手段】
【０００４】
本発明は、以上の点を解決するために、次の構成を採用する。
〈構成１〉
滞納者の電話番号を示す発信情報に基づいて架電を行う架電部を備える電話催告システムにおいて、滞納者を識別するための滞納者識別データと、少なくとも、各滞納者の属する世帯を識別するための世帯識別データ、各滞納者の滞納状況を示す滞納状況データおよび各滞納者の電話番号を示す電話番号データとが対応づけられた滞納者情報テーブルと、前記滞納者情報テーブルから世帯共通情報の一致するいずれかの滞納者の電話番号データを世帯の代表電話番号として抽出し、該抽出した電話番号データを含む発信情報を生成し、該発信情報を前記架電部に出力する発信情報生成部と、前記世帯識別データの一致する各滞納者の滞納者識別データに基づいて、前記滞納者情報テーブルから各滞納者の対応する滞納状況データを世帯滞納状況データとして取得するデータ取得部と、取得した世帯滞納状況データに基づく世帯滞納状況を示す世帯催告業務画面を表示部に表示させる表示制御部とを備えることを特徴とする。
〈構成２〉
構成１の電話催告システムにおいて、前記発信情報生成部は、前記滞納者情報テーブルから世帯識別データおよび電話番号データの一致するいずれかの滞納者の電話番号データを世帯の代表電話番号として抽出し、該抽出した電話番号データを含む発信情報を生成し、該発信情報を前記架電部に出力することを特徴とする。
〈構成３〉
構成１の電話催告システムにおいて、前記発信情報生成部は、前記滞納者情報テーブルから電話番号データの一致するいずれかの滞納者の電話番号データを世帯の代表電話番号として抽出し、該抽出した電話番号データを含む発信情報を生成し、該発信情報を前記架電部に出力することを特徴とする。
〈構成４〉
構成１の電話催告システムにおいて、前記発信情報生成部は、前記滞納者情報テーブルから世帯識別データの一致するいずれかの滞納者の電話番号データを世帯の代表電話番号として抽出し、該抽出した電話番号データを含む発信情報を生成し、該発信情報を前記架電部に出力することを特徴とする。
【発明の効果】
【０００５】
本発明の電話催告システムでは、滞納者を識別するための滞納者識別データと、滞納者の滞納状況を示す滞納状況データ、滞納者の電話番号データ、各滞納者の属する世帯を識別するための世帯識別データとが対応づけられた滞納者情報テーブルを備え、滞納者情報テーブルから世帯共通情報の一致するいずれかの滞納者の電話番号データを世帯の代表電話番号として抽出し、該抽出した電話番号データを含む発信情報を生成すると共に、架電先となる世帯を示す世帯識別データの一致する各滞納者の各滞納状況を世帯滞納状況として世帯催告業務画面に表示するようにしたので、生成された発信情報が示す代表電話番号に架電すると共に、オペレータは世帯催告業務画面にしたがって同一世帯の各滞納者に対して一度に催告することができる。従って、複数の滞納者が存在する同一世帯に多重架電することなく通信コストを軽減することができる。
【発明を実施するための最良の形態】
【０００６】
以下、本発明の一実施形態を図を用いて詳細に説明する。
【実施例】
【０００７】
〈実施例の構成〉
図１は、本発明の電話催告システムの一実施形態を示すブロック構成図である。
【０００８】
図１に示すように、本発明の電話催告システムは、自治体等の庁舎内に設けられ、オペレータ端末１００〜Ｎ、ＤＢサーバ２００、滞納者ＤＢ２００Ａ、滞納状況ＤＢ２００Ｂ、折衝記録ＤＢ２００Ｃ、収容ＤＢ２００Ｄ、架電サーバ３００、管理者端末４００およびネットワーク５００から構成されている。
【０００９】
ネットワーク５００は、後述するように、オペレータ端末１００〜Ｎ、ＤＢサーバ２００、架電サーバ３００および管理者端末４００を接続するための通信回線である。
【００１０】
滞納者ＤＢ２００Ａは、図２に示すように、滞納者を識別するための個人番号データと、各滞納者の属する世帯を識別するための世帯番号、各世帯を構成する世帯員を識別するための世帯員番号、氏名、住所、続柄、電話番号を示す滞納者データとが対応づけられた滞納者情報テーブルが格納されたデータベースであり、後述するＤＢサーバ２００に接続されている。
【００１１】
滞納状況ＤＢ２００Ｂは、滞納者を識別するための個人番号データと、滞納している税金等の種別、納付期限、各滞納者の滞納額を示す滞納額データとが対応づけられた滞納状況テーブルが格納されたデータベースであり、後述するＤＢサーバ２００に接続されている。
【００１２】
折衝記録ＤＢ２００Ｃは、滞納者を識別するための個人番号データと、各滞納者との交渉状況を示す折衝記録データとが対応づけられた折衝記録テーブルが格納されたデータベースであり、後述するＤＢサーバ２００に接続されている。
【００１３】
収容ＤＢ２００Ｄは、滞納者を識別するための個人番号データと、各滞納者の収納額等の収容明細を示す収容データとが対応づけられた収容状況テーブルが格納されたデータベースであり、後述するＤＢサーバ２００に接続されている。
【００１４】
ＤＢサーバ２００は、上記した各データベースとのデータ授受を管理するサーバであり、制御部２０、認証部２１、データ取得部２２およびデータ更新部２３を有している。
【００１５】
管理者端末４００は、管理者が本システムのメンテナンスおよび発信情報の生成を行うために操作する端末である。この管理者端末４００は、制御部４０、キーボード及びマウスにより構成される入力部４１、発信情報生成部４２、表示制御部４３および液晶からなる表示部４４を有しており、ＤＢサーバ２００および架電サーバ３００にネットワーク５００を介して接続されている。
【００１６】
オペレータ端末１００は、オペレータが電話催告を行うために操作する端末である。このオペレータ端末１００は、制御部１０、キーボード及びマウスにより構成される入力部１１、表示制御部１２および液晶からなる表示部１３を有しており、ＤＢサーバ２００および架電サーバ３００にネットワーク５００を介して接続されている。
【００１７】
架電サーバ３００は、オペレータ端末１００からの指示により、後述するように生成される滞納者の電話番号を示す発信情報に基づいて滞納者へ架電を行うサーバであり、制御部３０、認証部３１および架電部３２を有している。
【００１８】
以下、架電対象となる滞納者の電話番号を示す発信情報が生成されるまでのＤＢサーバ２００、滞納者ＤＢ２００Ａ、滞納状況ＤＢ２００Ｂ、架電サーバ３００、管理者端末４００の相互関連について説明を行う。
【００１９】
管理者端末４００の制御部４０は、いわゆるＣＰＵとして管理者端末４００を統括制御する部であり、図示しないメモリの制御プログラムにより、初期画面として、図３に示すように、ログイン画面を表示部４４に表示させている。
【００２０】
このログイン画面は、管理者が端末を操作する権限を有するか否かを判定するのに必要なログインＩＤおよびパスワードからなる認証データを入力するための画面である。管理者がログイン画面にしたがって、入力部４１を介して所定の認証データの入力を行い、［Ｅｎｔｅｒ］ボタン（図３参照）を押下すると、制御部４０は、入力された認証データを架電サーバ３００に送信する。この際、制御部４０は、認証データを図示しないメモリに保持する。
【００２１】
架電サーバ３００の制御部３０は、いわゆるＣＰＵとして架電サーバ３００を統括制御する部であり、認証データを受信すると、認証データを認証部３１に転送する。
【００２２】
認証部３１は、管理者の権限認証を行うための部であり、認証データを受けると、認証データと、図示しないメモリに予め保持されている管理者の登録認証データと比較し、両データが不一致であると、認証不可を示す認証不可信号を管理者端末４００に送信し、両データが一致すると、認証可を示す認証可信号を管理者端末４００に送信する。
【００２３】
管理者端末４００の制御部４０は、認証不可信号を受信すると、認証不可信号を表示制御部４３に転送する。
【００２４】
表示制御部４３は、表示部４４の表示画面制御を行う部であり、認証不可信号を受けると、図示しないメモリの画面情報生成プログラムを実行し、認証失敗を示すログイン失敗画面情報を生成し、ログイン失敗画面情報を表示部４４に転送する。
【００２５】
表示部４４は、ログイン失敗画面情報を受けると、ログイン失敗画面情報に基づいたログイン失敗画面を表示する。
【００２６】
管理者端末４００の制御部４０は、認証可信号を受信すると、引き続き、メモリに保持された認証データをＤＢサーバ２００に送信する。
【００２７】
ＤＢサーバ２００の制御部２０は、いわゆるＣＰＵとしてＤＢサーバ２００を統括制御する部であり、認証データを受信すると、認証データを認証部２１に転送する。
【００２８】
認証部２１は、管理者の権限認証を行うための部であり、認証データを受けると、認証データと、図示しないメモリに予め保持されている管理者の登録認証データとを比較し、両データが不一致であると、認証不可信号を管理者端末４００に送信し、両データが一致すると、操作許可を示す操作許可信号を管理者端末４００に送信する。
【００２９】
管理者端末４００は、認証不可信号を受信すると、上記同様に、表示部４４にログイン失敗画面を表示させる。
【００３０】
管理者端末４００の制御部４０は、操作許可信号を受信すると、管理者が端末を操作する権限を有すると判定し、操作許可信号を表示制御部４３に転送する。
【００３１】
表示制御部４３は、操作許可信号を受けると、管理者の操作メニュー画面を表示する。そして、管理者により操作メニュー画面から発信情報生成が指示されると、図示しないメモリの画面情報生成プログラムを実行して、管理者から発信情報の生成条件を受け付けるための発信情報生成画面情報を生成し、発信情報生成画面情報を表示部４４に転送する。
【００３２】
表示部４４は、発信情報生成画面情報を受けると、発信情報生成画面情報に基づいて、図４に示すような発信情報生成画面を表示する。
【００３３】
この発信情報生成画面は、管理者が発信情報の生成条件として、世帯毎の共通情報すなわち同一世帯番号、同一電話番号、同一世帯・同一電話番号のいずれかを示す条件データを入力するための画面である。管理者が発信情報生成画面にしたがって、入力部４１を介して所望の条件データの入力を行い、［Ｅｎｔｅｒ］ボタンを押下すると、まず、制御部４０は、入力された条件データを図示しないメモリに保持すると共に、図示しないメモリの制御プログラムを実行し、滞納者情報テーブル要求信号をＤＢサーバ２００に送信する。
【００３４】
尚、必ず同じ生成条件を使用する場合には、生成条件を定義ファイルに保持しておき、画面指定させずに該定義ファイル中の生成条件を送信するようにすれば、さらに業務効率を向上できる。また、生成条件の指定前および指定後のいずれかに、対象条件入力画面を表示して、架電対象とする滞納者を絞り込めるようにしてもよい。対象条件としては、例えば、税（科）目（普通徴収、特別徴収、自動車税、固定資産税、国保等）、納付期限、滞納額、住所（行政区、町名等）がある。対象条件入力画面では、これらの対象条件をそれぞれ選択可能に表示して、指定された対象条件は、該条件データに付与される。この場合、後述の発信情報生成部４２では、対象条件を考慮して発信情報を生成する。すなわち、発信情報生成部４２では、必要に応じて滞納状況テーブルをＤＢサーバ２００を介して取得して、対象条件に合致するものを発信情報に追加していく。
【００３５】
ＤＢサーバ２００の制御部２０は、滞納者情報テーブル要求信号を受信すると、滞納者情報テーブル要求信号をデータ取得部２２に転送する。
【００３６】
データ取得部２２は、滞納者情報テーブル要求信号を受けると、滞納者ＤＢ２００Ａから滞納者情報テーブルを取得し、取得した滞納者情報テーブルを管理者端末４００に送信する。
【００３７】
管理者端末４００の制御部４０は、滞納者情報テーブルを受信すると、滞納者情報テーブルおよびメモリに保持されている条件データを発信情報生成部４２に転送する。
【００３８】
発信情報生成部４２は、架電対象となる滞納者の電話番号を示す発信情報を生成する部であり、滞納者情報テーブルおよび条件データを受けると、受け付けた条件データに基づいて、滞納者情報テーブルから抽出される滞納者の個人番号データ、該個人番号に対応する氏名データおよび電話番号データからなる発信情報を生成する。
【００３９】
ここで、発信情報生成部４２が発信情報を生成する処理について説明する。説明を簡便にするため、受け付けた滞納者情報テーブルは、図２に示すものと同様とする。
【００４０】
発信情報生成部４２が同一世帯番号を示す条件データおよび滞納者情報テーブルを受け付けた場合、発信情報生成部４２は、図５に示すように、滞納者情報テーブルから、世帯番号が一致する滞納者のうち最先の世帯員番号を有する滞納者の個人番号データ、該個人番号に対応する氏名データおよび電話番号データとを抽出した発信情報を生成する。この際、この発信情報には、初期設定として、各電話番号データに対して未架電を示す架電状況フラグが付与される。
【００４１】
発信情報生成部４２が同一電話番号・同一世帯番号を示す条件データおよび滞納者情報テーブルを受け付けた場合、発信情報生成部４２は、図６に示すように、滞納者情報テーブルから、電話番号および世帯番号が一致する滞納者のうち最先の世帯員番号を有する滞納者の個人番号データ、該個人番号に対応する氏名データおよび電話番号データを抽出した発信情報を生成する。この際、発信情報には、上記同様に未架電を示す架電状況フラグが付与される。
【００４２】
発信情報生成部４２が同一電話番号を示す条件データおよび滞納者情報テーブルを受け付けた場合、発信情報生成部４２は、図７に示すように、滞納者情報テーブルから、電話番号が一致する滞納者のうち最先の世帯員番号を有する滞納者の個人番号データ、該個人番号に対応する氏名データおよび電話番号データを抽出した発信情報を生成する。この際、発信情報には、上記同様に未架電を示す架電状況フラグが付与される。
【００４３】
このように、発信情報生成部４２は、受け付けた条件データに基づいて、滞納者情報テーブルから発信情報を生成する。この生成される発信情報は、同一世帯に複数の滞納者がいる場合には、世帯の代表である滞納者（＝本実施例では、最先の世帯員番号を有する滞納者）の電話番号のみを示すことから、後述する催告業務の際に、同一世帯に対して多重架電するのを防止できる。
【００４４】
制御部１０は、発信情報生成部４２が上記したように発信情報を生成すると、生成された発信情報を架電サーバ３００に送信する。
【００４５】
架電サーバ３００の制御部３０は、発信情報を受信すると、発信情報を架電部３２に転送する。
【００４６】
架電部３２は、発信情報に基づいて滞納者に対して架電を行う部であり、発信情報を受けると、該発信情報を図示しないメモリに保持する。以降、オペレータは、オペレータ端末１００〜Ｎのいずれかを操作して各滞納者に対して催告業務を行うことができる。
【００４７】
次に、生成された発信情報に基づいて電話催告が行われる際のオペレータ端末１００、ＤＢサーバ２００、滞納者ＤＢ２００Ａ、滞納状況ＤＢ２００Ｂ、折衝記録ＤＢ２００Ｃ、収容ＤＢ２００Ｄおよび架電サーバ３００の相互関連について説明を行う。
【００４８】
オペレータ端末１００の制御部１０は、いわゆるＣＰＵとしてオペレータ端末１００を統括制御する部であり、図示しないメモリの制御プログラムにより、図８に示すように、初期画面としてログイン画面を表示部１３に表示させている。
【００４９】
このログイン画面（図８参照）は、オペレータが端末を操作する権限を有するか否かを判定するのに必要なログインＩＤおよびパスワードからなる認証データを入力するための画面である。オペレータがログイン画面にしたがって、入力部１１を介して所定の認証データの入力を行い、［Ｅｎｔｅｒ］ボタン（図８参照）を押下すると、制御部１０は、入力された認証データを架電サーバ３００に送信する。この際、制御部１０は、認証データを図示しないメモリに保持する。
【００５０】
架電サーバ３００は、認証データを受信すると、上記した管理者端末４００における管理者の権限認証と同様の処理を行い、認証可信号および認証不可信号のいずれかをオペレータ端末１００に送信する。
【００５１】
オペレータ端末１００の制御部１０は、認証不可信号を受信すると、上記した管理者端末４００と同様の処理を行い、表示部１３にログイン失敗画面を表示する。
【００５２】
オペレータ端末１００の制御部１０は、認証可信号を受信すると、引き続き、メモリに保持された認証データをＤＢサーバ２００に送信する。
【００５３】
ＤＢサーバ２００は、認証データを受信すると、上記した管理者端末４００における管理者の権限認証と同様の処理を行い、認証可信号および認証不可信号のいずれかをオペレータ端末１００に送信する。
【００５４】
オペレータ端末１００の制御部１０は、認証不可信号を受信すると、上記した管理者端末４００と同様の処理を行い、表示部１３にログイン失敗画面を表示する。
【００５５】
オペレータ端末１００の制御部１０は、認証可信号を受信すると、オペレータが端末を操作する権限を有すると判定し、認証可信号を表示制御部１２に転送する。
【００５６】
表示制御部１２は、表示部１３の表示画面制御を行う部であり、認証可信号を受けると、図示しないメモリの画面情報生成プログラムを実行し、オペレータが架電方式を選択指示するための架電方式画面情報を生成し、架電方式画面情報を表示部１３に転送する。
【００５７】
表示部１３は、架電方式画面情報を受けると、図９に示すように、架電方式画面情報に基づいた架電方式画面を表示する。
【００５８】
この架電方式画面は、架電サーバ３００に自動的に架電させる自動架電方式および事前に架電対象である滞納者に関する情報を表示部１３に画面表示させてから、オペレータの指示により架電サーバ３００に架電させるプレビュー架電方式のいずれかを選択指示するための画面である。
【００５９】
オペレータが架電方式画面にしたがって、入力部１１を介して自動架電方式を選択し、［Ｅｎｔｅｒ］ボタン（図９参照）を押下すると、制御部１０は、自動架電方式を示す自動架電指示信号を架電サーバ３００に送信する。
【００６０】
架電サーバ３００の制御部３０は、自動架電指示信号を受信すると、自動架電指示信号を架電部３２に転送する。
【００６１】
架電部３２は、自動架電指示信号を受けると、メモリの発信情報を参照し、架電状況フラグが未架電である最先の個人番号を有する滞納者の電話番号データに基づいて架電を行うと共に、架電された滞納者の個人番号データをＤＢサーバ２００に送信する。
【００６２】
ＤＢサーバ２００の制御部２０は、個人番号データを受信すると、個人番号データをデータ取得部２２に転送する。
【００６３】
データ取得部２２は、個人番号データを受けると、まず、個人番号データに基づいて、滞納者ＤＢ２００Ａから架電された滞納者の滞納者データを取得し、次に、個人番号データに基づいて、滞納状況ＤＢ２００Ｂ、折衝記録ＤＢ２００Ｃおよび収容ＤＢ２００Ｄから、滞納状況データ、折衝記録データおよび収容データをそれぞれ取得する。
【００６４】
引き続き、データ取得部２２は、滞納者ＤＢ２００Ａから、架電された滞納者の滞納者データに含まれる世帯番号と同一の世帯番号を有する滞納者の滞納者データを世帯員データとして取得すると共に、取得した各世帯員データに含まれる個人番号に基づいて、滞納状況ＤＢ２００Ｂから、架電された滞納者と同一世帯番号を有する滞納者の滞納状況データを世帯滞納状況データとして取得する。
【００６５】
制御部２０は、データ取得部２２が架電された滞納者の滞納者データ、滞納状況データ、折衝記録データ、収容データ、世帯員データおよび世帯滞納状況データを取得すると、各データをオペレータ端末１００に送信する。
【００６６】
オペレータ端末１００の制御部１０は、上記各データを受信すると、各データを表示制御部１２に転送する。
【００６７】
表示制御部１２は、上記各データを受信すると、図示しないメモリの画面情報生成プログラムを実行し、各データに基づいた世帯催告業務画面情報を生成させ、世帯催告業務画面情報を表示部１３に転送する。
【００６８】
表示部１３は、世帯催告業務画面情報を受けると、世帯催告業務画面情報に基づいて、図１０に示すような世帯催告業務画面を表示する。この世帯催告業務画面には、架電された滞納者の収容状況、折衝記録が表示されている。また、各世帯員（架電された滞納者を含む）の氏名、生年月日、滞納状況等を示す世帯滞納状況が選択可能に表示されており、オペレータは、後述するように、この世帯滞納状況を参照して、他の滞納者を選択することで、選択された滞納者の収容状況、折衝記録を示す世帯催告業務画面に切替表示できる。
【００６９】
そして、オペレータが世帯催告業務画面を参照しながら、架電された世帯の各滞納者と通話を行い、入力部１１を介して［折衝入力］ボタン（図１０参照）を押下すると、制御部１０は、折衝入力指示を示す折衝入力信号を表示制御部１２に転送する。
【００７０】
表示制御部１２は、折衝入力信号を受けると、図示しないメモリの画面情報生成プログラムを実行し、滞納者との交渉内容を示す折衝内容データを入力するための折衝入力画面情報を生成し、折衝入力画面情報を表示部１３に転送する。
【００７１】
表示部１３は、折衝入力画面情報を受けると、折衝入力画面情報に基づいた折衝入力画面を表示する。
【００７２】
オペレータが折衝入力画面にしたがって、入力部１１を介して、折衝内容データを入力し、入力を確定すると、制御部１０は、折衝内容データおよび滞納者の個人番号データをＤＢサーバ２００に送信する。
【００７３】
ＤＢサーバ２００の制御部２０は、滞納者の個人番号データおよび折衝内容データを受信すると、上記した両データをデータ更新部２３に転送する。
【００７４】
データ更新部２３は、各ＤＢの更新を行う部であり、上記した両データを受けると、個人番号データに基づいて、折衝記録ＤＢ２００Ｃを参照し、対応する折衝記録データを折衝内容データに基づいて更新する。
【００７５】
制御部２０は、データ更新部２３が折衝記録データを更新すると、更新された折衝記録データをオペレータ端末１００に送信する。
【００７６】
オペレータ端末１００の制御部１０は、更新された折衝記録データを受信すると、折衝記録データを表示制御部１２に転送する。
【００７７】
表示制御部１２は、更新された折衝記録データを受信すると、図示しないメモリの画面情報生成プログラムを実行し、折衝記録データに基づいて、折衝記録を更新させた世帯催告業務画面情報を生成させると共に、生成された世帯催告業務画面情報を表示部１３に転送する。
【００７８】
表示部１３は、世帯催告業務画面情報を受けると、世帯催告業務画面情報に基づいて、更新された世帯催告業務画面を表示する。
【００７９】
オペレータは、世帯催告業務画面の更新を確認した後、同一世帯に他の滞納者が存在する場合、同一世帯の滞納者に対する催告業務を継続すべく、入力部１１を介して、世帯催告業務画面上の世帯滞納状況を参照し、他の滞納者を選択する。
【００８０】
制御部１０は、他の滞納者が選択されると、選択された滞納者の個人番号データをＤＢサーバ２００に送信する。
【００８１】
ＤＢサーバ２００の制御部２０は、個人番号データを受信すると、個人番号データをデータ取得部２２に転送する。
【００８２】
データ取得部２２は、受け付けた個人番号データに基づいて、滞納者ＤＢ２００Ａ、折衝記録ＤＢ２００Ｃ、収容ＤＢ２００Ｄから対応する滞納者データ、折衝記録データ、収容データをそれぞれ取得し、取得した各データをオペレータ端末１００に送信する。
【００８３】
オペレータ端末１００の制御部１０は、上記各データを受信すると、各データを表示制御部１２に転送する。
【００８４】
表示制御部１２は、各データを受けると、図示しないメモリの画像情報生成プログラムを実行し、各データに基づいた世帯催告業務画面情報を生成し、世帯催告業務画面情報を表示部１３に転送する。
【００８５】
表示部１３は、世帯催告業務画面情報を受けると、世帯催告業務画面情報に基づいて、選択された滞納者の収容状況、折衝記録を示す世帯催告業務画面に切替表示する。
【００８６】
オペレータは、表示された世帯催告業務画面を参照しながら、同一世帯の各滞納者と通話を行い、上記同様の催告業務を行った後、催告業務終了する場合、入力部１１を介して、世帯催告業務画面の［業務終了］ボタン（図１０参照）を押下する。引き続き、他の世帯の滞納者に対して催告業務を行う場合、世帯催告業務画面の［次滞納者］ボタン（図１０参照）を押下する。
【００８７】
オペレータ端末１００の制御部１０は、［業務終了］ボタンが押下されると、業務終了を示す業務終了指示信号を架電サーバ３００に送信する。
【００８８】
架電サーバ３００の制御部３０は、業務終了指示信号を受信すると、業務終了指示信号を架電部３２に転送する。
【００８９】
架電部３２は、業務終了指示信号を受けると、通話を切断すると共に、発信情報に含まれる切断された電話番号に付与された架電状況フラグを未架電から架電済に変更し、催告業務が終了される。
【００９０】
一方、オペレータ端末１００の制御部１０は、［次滞納者］ボタンが押下されると、業務継続を示す業務継続指示信号を架電サーバ３００に送信する。
【００９１】
架電サーバ３００の制御部３０は、業務継続指示信号を受信すると、業務継続指示信号を架電部３２に転送する。
【００９２】
架電部３２は、業務継続指示信号を受けると、通話を切断すると共に、発信情報に含まれる切断された電話番号に付与された架電状況フラグを未架電から架電済に変更し、引き続き、発信情報の架電状況フラグが未架電である最先の個人番号を有する滞納者の電話番号データに基づいて架電を行う。これにより、オペレータは、他の世帯の滞納者に対して、上記同様に催告業務を継続できる。
【００９３】
尚、発信情報の架電状況フラグがすべて架電済を示していた場合、架電部３２は、全世帯に架電済みであることを検知し、架電済信号をオペレータ端末１００に送信する。
【００９４】
オペレータ端末１００の制御部１０は、架電済信号を受信すると、架電済信号を表示制御部１２に転送する。
【００９５】
表示制御部１２は、架電済信号を受けると、図示しない画面情報生成プログラムを実行し、催告対象である全世帯に架電済であることを示す架電済画面情報を生成し、架電済画面情報を表示部１３に転送する。
【００９６】
表示部１３は、架電済画面情報を受けると、架電済画面情報に基づいて、架電済画面を表示する。オペレータは、架電済画面により全ての滞納者に対して催告を行ったことを確認し、催告業務を終了させる。
【００９７】
一方、オペレータが架電方式画面にしたがって、入力部１１を介して、プレビュー架電方式を選択し、［Ｅｎｔｅｒ］ボタン（図９参照）を押下すると、プレビュー架電方式を示すプレビュー架電指示信号を架電サーバ３００に送信する。
【００９８】
架電サーバ３００の制御部３０は、プレビュー架電指示信号を受信すると、プレビュー架電指示信号を架電部３２に転送する。
【００９９】
架電部３２は、プレビュー架電指示信号を受けると、メモリの発信情報を参照し、架電状況フラグが未架電である最先の個人番号を有する滞納者の電話番号データに基づいて架電を行うべく架電待機すると共に、架電される滞納者の個人番号データをＤＢサーバ２００に送信する。
【０１００】
ＤＢサーバ２００は、上記同様に、架電された滞納者の滞納者データ、滞納状況データ、折衝記録データ、収容データ、世帯員データおよび世帯滞納状況データを取得し、各データをオペレータ端末１００に送信する。
【０１０１】
オペレータ端末１００は、各データを受信すると、上記同様に、各データに基づいた世帯催告業務画面を表示部１３に表示する。
【０１０２】
そして、オペレータが入力部１１を介して、表示された世帯催告業務画面の［架電］ボタン（図１０参照）を押下すると、制御部１０は、架電待機中の電話番号への架電指示を示す架電指示信号を架電サーバ３００に送信する。
【０１０３】
架電サーバ３００の制御部３０は、架電指示信号を受信すると、架電指示信号を架電部３２に転送する。
【０１０４】
架電部３２は、架電指示信号を受けると、架電待機していた電話番号データに基づいて架電を行う。以降、オペレータは、上記したと同様に、オペレータ端末１００を操作して催告業務或いは催告業務終了指示を行う。
【０１０５】
〈実施例の動作〉
以下、電話催告システムの動作について説明を行う。
【０１０６】
まず、架電対象となる滞納者の電話番号を示す発信情報が生成される動作について説明を行う。
【０１０７】
図１１は、発信情報を生成する動作フローチャートである。
【０１０８】
管理者端末４００の制御部４０は、図示しないメモリの制御プログラムにより、初期画面として、図３に示すように、ログイン画面を表示部４４に表示させている。
【０１０９】
このログイン画面は、管理者が端末を操作する権限を有するか否かを判定するのに必要なログインＩＤおよびパスワードからなる認証データを入力するための画面である。管理者がログイン画面にしたがって、入力部４１を介して所定の認証データの入力を行い、［Ｅｎｔｅｒ］ボタン（図３参照）を押下する（Ｓ１）と、制御部４０は、入力された認証データを架電サーバ３００に送信する。この際、制御部４０は、認証データを図示しないメモリに保持する。
【０１１０】
架電サーバ３００の制御部３０は、認証データを受信すると、認証データを認証部３１に転送する。
【０１１１】
認証部３１は、認証データを受けると、認証データと、図示しないメモリに予め保持されている管理者の登録認証データと比較し、両データが不一致であると、認証不可を示す認証不可信号を管理者端末４００に送信し、両データが一致すると、認証可を示す認証可信号を管理者端末４００に送信する（Ｓ２）。
【０１１２】
管理者端末４００の制御部４０は、認証不可信号を受信すると、認証不可信号を表示制御部４３に転送する。
【０１１３】
表示制御部４３は、認証不可信号を受けると、図示しないメモリの画面情報生成プログラムを実行し、認証失敗を示すログイン失敗画面情報を生成し、ログイン失敗画面情報を表示部４４に転送する。
【０１１４】
表示部４４は、ログイン失敗画面情報を受けると、ログイン失敗画面情報に基づいたログイン失敗画面を表示する（Ｓ８）。
【０１１５】
管理者端末４００の制御部４０は、認証可信号を受信すると、引き続き、メモリに保持された認証データをＤＢサーバ２００に送信する。
【０１１６】
ＤＢサーバ２００の制御部２０は、認証データを受信すると、認証データを認証部２１に転送する。
【０１１７】
認証部２１は、認証データを受けると、認証データと、図示しないメモリに予め保持されている管理者の登録認証データとを比較し、両データが不一致であると、認証不可信号を管理者端末４００に送信し、両データが一致すると、操作許可を示す操作許可信号を管理者端末４００に送信する。
【０１１８】
管理者端末４００は、認証不可信号を受信すると、上記同様に、表示部４４にログイン失敗画面を表示させる（Ｓ８）。
【０１１９】
管理者端末４００の制御部４０は、操作許可信号を受信すると、管理者が端末を操作する権限を有すると判定し、操作許可信号を表示制御部４３に転送する。
【０１２０】
表示制御部４３は、操作許可信号を受けると、管理者の操作メニュー画面を表示する。そして、管理者により操作メニュー画面から発信情報生成が指示されると、図示しないメモリの画面情報生成プログラムを実行して、管理者から発信情報の生成条件を受け付けるための発信情報生成画面情報を生成し、発信情報生成画面情報を表示部４４に転送する。
【０１２１】
表示部４４は、発信情報生成画面情報を受けると、発信情報生成画面情報に基づいて、図４に示すような発信情報生成画面を表示する（Ｓ３）。
【０１２２】
この発信情報生成画面は、管理者が発信情報の生成条件として、同一世帯番号、同一電話番号、同一世帯・同一電話番号のいずれかを示す条件データを入力するための画面である。管理者が発信情報生成画面にしたがって、入力部４１を介して所望の条件データの入力を行い、［Ｅｎｔｅｒ］ボタンを押下する（Ｓ４）と、まず、制御部４０は、入力された条件データを図示しないメモリに保持すると共に、図示しないメモリの制御プログラムを実行し、滞納者データ要求信号をＤＢサーバ２００に送信する。
【０１２３】
ＤＢサーバ２００の制御部２０は、滞納者データ要求信号を受信すると、滞納者情報テーブル要求信号をデータ取得部２２に転送する。
【０１２４】
データ取得部２２は、滞納者情報テーブル要求信号を受けると、滞納者ＤＢ２００Ａから滞納者情報テーブルを取得し、取得した滞納者情報テーブルを管理者端末４００に送信する。
【０１２５】
管理者端末４００の制御部４０は、滞納者情報テーブルを受信すると、滞納者情報テーブルおよびメモリに保持されている条件データを発信情報生成部４２に転送する。
【０１２６】
発信情報生成部４２は、滞納者情報テーブルおよび条件データを受けると、受け付けた条件データに基づいて、滞納者情報テーブルから抽出される滞納者の個人番号データ、該個人番号に対応する氏名データおよび電話番号データからなる発信情報を生成する（Ｓ５）。
【０１２７】
ここで、発信情報生成部４２が発信情報を生成する処理について説明する。説明を簡便にするため、受け付けた滞納者情報テーブルは、図２に示すものと同様とする。
【０１２８】
発信情報生成部４２が同一世帯番号を示す条件データおよび滞納者情報テーブルを受け付けた場合、発信情報生成部４２は、受け付けた条件データに基づいて、図５に示すように、滞納者情報テーブルから、世帯番号が一致する滞納者のうち最先の世帯員番号を有する滞納者の個人番号データ、該個人番号に対応する氏名データおよび電話番号データとを抽出した発信情報を生成する。この際、この発信情報には、初期設定として、各電話番号データに対して未架電を示す架電状況フラグが付与される。
【０１２９】
発信情報生成部４２が同一電話番号・同一世帯番号を示す条件データおよび滞納者情報テーブルを受け付けた場合、発信情報生成部４２は、図６に示すように、滞納者情報テーブルから、電話番号および世帯番号が一致する滞納者のうち最先の世帯員番号を有する滞納者の個人番号データ、該個人番号に対応する氏名データおよび電話番号データを抽出した発信情報を生成する。この際、発信情報には、上記同様に未架電を示す架電状況フラグが付与される。
【０１３０】
発信情報生成部４２が同一電話番号を示す条件データおよび滞納者情報テーブルを受け付けた場合、発信情報生成部４２は、図７に示すように、滞納者情報テーブルから、電話番号が一致する滞納者のうち最先の世帯員番号を有する滞納者の個人番号データ、該個人番号に対応する氏名データおよび電話番号データを抽出した発信情報を生成する。この際、発信情報には、上記同様に未架電を示す架電状況フラグが付与される。
【０１３１】
このように、発信情報生成部４２は、受け付けた条件データに基づいて、滞納者情報テーブルから発信情報を生成する。この生成される発信情報は、同一世帯に複数の滞納者がいる場合には、世帯の代表である滞納者（＝本実施例では、最先の世帯員番号を有する滞納者）の電話番号のみを示すことから、後述する催告業務の際に、同一世帯に対して多重架電するのを防止できる。
【０１３２】
制御部１０は、発信情報生成部４２が上記したように発信情報を生成すると、生成された発信情報を架電サーバ３００に送信する（Ｓ６）。
【０１３３】
架電サーバ３００の制御部３０は、発信情報を受信すると、発信情報を架電部３２に転送する。
【０１３４】
架電部３２は、発信情報を受けると、該発信情報を図示しないメモリに保持する（Ｓ７）。以降、オペレータは、オペレータ端末１００〜Ｎのいずれかを操作して各滞納者に対して催告業務を行うことができる。
【０１３５】
次に、生成された発信情報に基づいて催告業務を行う動作について説明を行う。
【０１３６】
図１２は、催告業務の動作フローチャートである。
【０１３７】
オペレータ端末１００の制御部１０は、図示しないメモリの制御プログラムにより、図８に示すように、初期画面としてログイン画面を表示部１３に表示させている。
【０１３８】
このログイン画面（図８参照）は、オペレータが端末を操作する権限を有するか否かを判定するのに必要なログインＩＤおよびパスワードからなる認証データを入力するための画面である。オペレータがログイン画面にしたがって、入力部１１を介して所定の認証データの入力を行い、［Ｅｎｔｅｒ］ボタン（図８参照）を押下する（Ｓ１）と、制御部１０は、入力された認証データを架電サーバ３００に送信する。この際、制御部１０は、認証データを図示しないメモリに保持する。
【０１３９】
架電サーバ３００は、認証データを受信すると、上記した管理者端末４００における管理者の権限認証と同様の処理を行い、認証可信号および認証不可信号のいずれかをオペレータ端末１００に送信する。
【０１４０】
オペレータ端末１００の制御部１０は、認証不可信号を受信すると、上記した管理者端末４００と同様の処理を行い、表示部１３にログイン失敗画面を表示する（Ｓ１５）。
【０１４１】
オペレータ端末１００の制御部１０は、認証可信号を受信すると、引き続き、メモリに保持された認証データをＤＢサーバ２００に送信する。
【０１４２】
ＤＢサーバ２００は、認証データを受信すると、上記した管理者端末４００における管理者の権限認証と同様の処理を行い、操作許可信号および認証不可信号のいずれかをオペレータ端末１００に送信する。
【０１４３】
オペレータ端末１００の制御部１０は、認証不可信号を受信すると、上記した管理者端末４００と同様の処理を行い、表示部１３にログイン失敗画面を表示する（Ｓ１５）。
【０１４４】
オペレータ端末１００の制御部１０は、操作許可信号を受信すると、オペレータが端末を操作する権限を有すると判定し（Ｓ２）、操作許可信号を表示制御部１２に転送する。
【０１４５】
表示制御部１２は、操作許可信号を受けると、図示しないメモリの画面情報生成プログラムを実行し、オペレータが架電方式を選択指示するための架電方式画面情報を生成し、架電方式画面情報を表示部１３に転送する。
【０１４６】
表示部１３は、架電方式画面情報を受けると、図９に示すように、架電方式画面情報に基づいた架電方式画面を表示する（Ｓ３）。
【０１４７】
この架電方式画面は、架電サーバ３００に自動的に架電させる自動架電方式および事前に架電対象である滞納者に関する情報を表示部１３に画面表示させてから、オペレータの指示により架電サーバ３００に架電させるプレビュー架電方式のいずれかを選択指示するための画面である。
【０１４８】
オペレータが架電方式画面にしたがって、入力部１１を介して自動架電方式を選択し、［Ｅｎｔｅｒ］ボタン（図９参照）を押下する（Ｓ４）と、制御部１０は、自動架電方式を示す自動架電指示信号を架電サーバ３００に送信する。
【０１４９】
架電サーバ３００の制御部３０は、自動架電指示信号を受信すると、自動架電指示信号を架電部３２に転送する。
【０１５０】
架電部３２は、自動架電指示信号を受ける（Ｓ５）と、メモリの発信情報を参照し、架電状況フラグが未架電である最先の個人番号を有する滞納者の電話番号データに基づいて架電を行う（Ｓ６）と共に、架電された滞納者の個人番号データをＤＢサーバ２００に送信する。
【０１５１】
ＤＢサーバ２００の制御部２０は、個人番号データを受信すると、個人番号データをデータ取得部２２に転送する。
【０１５２】
データ取得部２２は、個人番号データを受けると、まず、個人番号データに基づいて、滞納者ＤＢ２００Ａから架電された滞納者の滞納者データを取得し、次に、個人番号データに基づいて、滞納状況ＤＢ２００Ｂ、折衝記録ＤＢ２００Ｃおよび収容ＤＢ２００Ｄから、滞納状況データ、折衝記録データおよび収容データをそれぞれ取得する。
【０１５３】
引き続き、データ取得部２２は、滞納者ＤＢ２００Ａから、架電された滞納者の滞納者データに含まれる世帯番号と同一の世帯番号を有する滞納者の滞納者データを世帯員データとして取得すると共に、取得した各世帯員データに含まれる個人番号に基づいて、滞納状況ＤＢ２００Ｂから、架電された滞納者と同一世帯番号を有する滞納者の滞納状況データを世帯滞納状況データとして取得する（Ｓ７）。
【０１５４】
制御部２０は、データ取得部２２が架電された滞納者の滞納者データ、滞納状況データ、折衝記録データ、収容データ、世帯員データおよび世帯滞納状況データを取得すると、各データをオペレータ端末１００に送信する。
【０１５５】
オペレータ端末１００の制御部１０は、上記各データを受信すると、各データを表示制御部１２に転送する。
【０１５６】
表示制御部１２は、上記各データを受信すると、図示しないメモリの画面情報生成プログラムを実行し、各データに基づいた世帯催告業務画面情報を生成させ、世帯催告業務画面情報を表示部１３に転送する。
【０１５７】
表示部１３は、世帯催告業務画面情報を受けると、世帯催告業務画面情報に基づいて、図１０に示すような世帯催告業務画面を表示する（Ｓ８）。この世帯催告業務画面には、架電された滞納者の収容状況、折衝記録が表示されている。また、各世帯員（架電された滞納者を含む）の氏名、生年月日、滞納状況等を示す世帯滞納状況が選択可能に表示されており、オペレータは、後述するように、この世帯滞納状況を参照して、他の滞納者を選択することで、選択された滞納者の収容状況、折衝記録を示す世帯催告業務画面に切替表示できる。
【０１５８】
そして、オペレータが世帯催告業務画面を参照しながら、架電された世帯の各滞納者と通話を行い、入力部１１を介して［折衝入力］ボタン（図１０参照）を押下する（Ｓ９）と、制御部１０は、折衝入力指示を示す折衝入力信号を表示制御部１２に転送する。
【０１５９】
表示制御部１２は、折衝入力信号を受けると、図示しないメモリの画面情報生成プログラムを実行し、滞納者との交渉内容を示す折衝内容データを入力するための折衝入力画面情報を生成し、折衝入力画面情報を表示部１３に転送する。
【０１６０】
表示部１３は、折衝入力画面情報を受けると、折衝入力画面情報に基づいた折衝入力画面を表示する（Ｓ１０）。
【０１６１】
オペレータが折衝入力画面にしたがって、入力部１１を介して、折衝内容データを入力し、入力を確定する（Ｓ１１）と、制御部１０は、折衝内容データおよび滞納者の個人番号データをＤＢサーバ２００に送信する。
【０１６２】
ＤＢサーバ２００の制御部２０は、滞納者の個人番号データおよび折衝内容データを受信すると、上記した両データをデータ更新部２３に転送する。
【０１６３】
データ更新部２３は、上記した両データを受けると、個人番号データに基づいて、折衝記録ＤＢ２００Ｃを参照し、対応する折衝記録データを折衝内容データに基づいて更新する（Ｓ１２）。
【０１６４】
制御部２０は、データ更新部２３が折衝記録データを更新すると、更新された折衝記録データをオペレータ端末１００に送信する。
【０１６５】
オペレータ端末１００の制御部１０は、更新された折衝記録データを受信すると、折衝記録データを表示制御部１２に転送する。
【０１６６】
表示制御部１２は、更新された折衝記録データを受信すると、図示しないメモリの画面情報生成プログラムを実行し、折衝記録データに基づいて、折衝記録を更新させた世帯催告業務画面情報を生成させると共に、生成された世帯催告業務画面情報を表示部１３に転送する。
【０１６７】
表示部１３は、世帯催告業務画面情報を受けると、世帯催告業務画面情報に基づいて、更新された世帯催告業務画面を表示する。
【０１６８】
オペレータは、世帯催告業務画面の更新を確認した後、同一世帯に他の滞納者が存在する場合、同一世帯の滞納者に対する催告業務を継続すべく、入力部１１を介して、世帯催告業務画面上の世帯滞納状況を参照し、他の滞納者を選択する（Ｓ１３）。
【０１６９】
制御部１０は、他の滞納者が選択されると、選択された滞納者の個人番号データをＤＢサーバ２００に送信する。
【０１７０】
ＤＢサーバ２００の制御部２０は、個人番号データを受信すると、個人番号データをデータ取得部２２に転送する。
【０１７１】
データ取得部２２は、受け付けた個人番号データに基づいて、滞納者ＤＢ２００Ａ、折衝記録ＤＢ２００Ｃ、収容ＤＢ２００Ｄから対応する滞納者データ、折衝記録データ、収容データをそれぞれ取得し（Ｓ７）、取得した各データをオペレータ端末１００に送信する。
【０１７２】
オペレータ端末１００の制御部１０は、上記各データを受信すると、各データを表示制御部１２に転送する。
【０１７３】
表示制御部１２は、各データを受けると、図示しないメモリの画像情報生成プログラムを実行し、各データに基づいた世帯催告業務画面情報を生成し、世帯催告業務画面情報を表示部１３に転送する。
【０１７４】
表示部１３は、世帯催告業務画面情報を受けると、世帯催告業務画面情報に基づいて、選択された滞納者の収容状況、折衝記録を示す世帯催告業務画面に切替表示する（Ｓ８）。
【０１７５】
このように、オペレータは、表示された世帯催告業務画面を参照しながら、同一世帯の各滞納者と通話を行い、上記同様の催告業務を行った後、催告業務終了する場合、入力部１１を介して、世帯催告業務画面の［業務終了］ボタン（図１０参照）を押下する。引き続き、他の世帯の滞納者に対して催告業務を行う場合、世帯催告業務画面の［次滞納者］ボタン（図１０参照）を押下する（Ｓ１４）。
【０１７６】
オペレータ端末１００の制御部１０は、［業務終了］ボタンが押下されると、業務終了を示す業務終了指示信号を架電サーバ３００に送信する。
【０１７７】
架電サーバ３００の制御部３０は、業務終了指示信号を受信すると、業務終了指示信号を架電部３２に転送する。
【０１７８】
架電部３２は、業務終了指示信号を受けると、通話を切断すると共に、発信情報に含まれる切断された電話番号に付与された架電状況フラグを未架電から架電済に変更し、催告業務が終了される。
【０１７９】
一方、オペレータ端末１００の制御部１０は、［次滞納者］ボタンが押下されると、業務継続を示す業務継続指示信号を架電サーバ３００に送信する。
【０１８０】
架電サーバ３００の制御部３０は、業務継続指示信号を受信すると、業務継続指示信号を架電部３２に転送する。
【０１８１】
架電部３２は、業務継続指示信号を受けると、通話を切断すると共に、発信情報に含まれる切断された電話番号に付与された架電状況フラグを未架電から架電済に変更し、引き続き、発信情報の架電状況フラグが未架電である最先の個人番号を有する滞納者の電話番号データに基づいて架電を行う。これにより、オペレータは、他の世帯の滞納者に対して、上記同様に催告業務を継続できる。
【０１８２】
尚、発信情報の架電状況フラグがすべて架電済を示していた場合、架電部３２は、全世帯に架電済みであることを検知し、架電済信号をオペレータ端末１００に送信する。
【０１８３】
オペレータ端末１００の制御部１０は、架電済信号を受信すると、架電済信号を表示制御部１２に転送する。
【０１８４】
表示制御部１２は、架電済信号を受けると、図示しない画面情報生成プログラムを実行し、催告対象である全世帯に架電済であることを示す架電済画面情報を生成し、架電済画面情報を表示部１３に転送する。
【０１８５】
表示部１３は、架電済画面情報を受けると、架電済画面情報に基づいて、架電済画面を表示する。オペレータは、架電済画面により全ての滞納者に対して催告を行ったことを確認し、催告業務を終了させる。
【０１８６】
一方、オペレータが架電方式画面にしたがって、入力部１１を介して、プレビュー架電方式を選択し、［Ｅｎｔｅｒ］ボタン（図９参照）を押下する（Ｓ４）と、プレビュー架電方式を示すプレビュー架電指示信号を架電サーバ３００に送信する。
【０１８７】
架電サーバ３００の制御部３０は、プレビュー架電指示信号を受信すると、プレビュー架電指示信号を架電部３２に転送する。
【０１８８】
架電部３２は、プレビュー架電指示信号を受けると、メモリの発信情報を参照し、架電状況フラグが未架電である最先の個人番号を有する滞納者の電話番号データに基づいて架電を行うべく架電待機すると共に、架電される滞納者の個人番号データをＤＢサーバ２００に送信する。
【０１８９】
ＤＢサーバ２００は、上記同様に、架電された滞納者の滞納者データ、滞納状況データ、折衝記録データ、収容データ、世帯員データおよび世帯滞納状況データを取得し（Ｓ１６）、各データをオペレータ端末１００に送信する。
【０１９０】
オペレータ端末１００は、各データを受信すると、上記同様に、各データに基づいた世帯催告業務画面を表示部１３に表示する（Ｓ１７）。
【０１９１】
そして、オペレータが入力部１１を介して、表示された世帯催告業務画面の［架電］ボタン（図１０参照）を押下する（Ｓ１８）と、制御部１０は、架電待機中の電話番号への架電指示を示す架電指示信号を架電サーバ３００に送信する。
【０１９２】
架電サーバ３００の制御部３０は、架電指示信号を受信すると、架電指示信号を架電部３２に転送する。
【０１９３】
架電部３２は、架電指示信号を受けると、架電待機していた電話番号データに基づいて架電を行う（Ｓ１９）。以降、オペレータは、上記したと同様に、オペレータ端末１００を操作して催告業務あるいは催告業務終了指示を行う。
【０１９４】
〈実施例の効果〉
本実施例の電話催告システムでは、滞納者を識別するための個人番号データと、滞納者の滞納状況を示す滞納状況データ、滞納者の電話番号データ、各滞納者の属する世帯を識別するための世帯番号データ、各世帯を構成する世帯員を識別するための世帯員番号データとが対応づけられた滞納者情報テーブルを備え、滞納者情報テーブルから世帯毎の共通情報の一致する滞納者の世帯員番号に基づいて特定される電話番号データを世帯の代表電話番号として抽出した発信情報を生成すると共に、架電先となる世帯を示す世帯番号の一致する各滞納者の各滞納状況を世帯滞納状況として世帯催告業務画面に表示するようにしたので、生成された発信情報が示す代表電話番号に架電すると共に、オペレータは世帯催告業務画面にしたがって同一世帯の各滞納者に対して一度に催告することができる。従って、複数の滞納者が存在する同一世帯に多重架電することなく通信コストを軽減することができる。また、多重架電を行わないことにより、架電先の人物が何度も電話応対する必要がなくなるので、架電先における電話応対の負担が軽減できる。さらに、架電先の人物の心象を損なうことによる不要なトラブルを防止できるので、円滑な催告業務が実施できるようになる。
【産業上の利用可能性】
【０１９５】
本実施例では、催告業務はオペレータ端末１００〜Ｎにより行われていたが、管理者端末４００に上記と同様の催告業務ができるように構成してもよい。
【０１９６】
本実施例では、世帯催告業務画面に滞納している世帯員についての世帯滞納状況が表示される構成であったが、滞納の有無に関わらず、同一世帯の世帯員に関する情報を表示させる構成としてもよい。
【図面の簡単な説明】
【０１９７】
【図１】本発明の一実施形態を示すブロック構成図。
【図２】滞納者情報テーブルを示す図。
【図３】ログイン画面（管理者端末用）を示す図。
【図４】発信情報生成画面を示す図。
【図５】発信情報（同一世帯番号）を示す図。
【図６】発信情報（同一世帯番号、同一電話番号）を示す図。
【図７】発信情報（同一電話番号）を示す図。
【図８】ログイン画面（オペレータ端末用）を示す図。
【図９】架電方式画面を示す図。
【図１０】世帯催告業務画面を示す図。
【図１１】発信情報を生成する動作フローチャート。
【図１２】催告業務の動作フローチャート。
【符号の説明】
【０１９８】
１００  オペレータ端末
１０  制御部
１１  入力部
１２  表示制御部
１３  表示部
２００  ＤＢサーバ
２０  制御部
２１  認証部
２２  データ取得部
２３  データ更新部
２００Ａ  滞納者ＤＢ
２００Ｂ  滞納状況ＤＢ
２００Ｃ  折衝記録ＤＢ
２００Ｄ  収容ＤＢ
３００  架電サーバ
３０  制御部
３１  認証部
３２  架電部
４００  管理者端末
４０  制御部
４１  入力部
４２  発信情報生成部
４３  表示制御部
４４  表示部
５００  ネットワーク
【図１】
2006344016.tif 000003
【図２】
2006344016.tif 000004
【図３】
2006344016.tif 000005
【図４】
2006344016.tif 000006
【図５】
2006344016.tif 000007
【図６】
2006344016.tif 000008
【図７】
2006344016.tif 000009
【図８】
2006344016.tif 000010
【図９】
2006344016.tif 000011
【図１０】
2006344016.tif 000012
【図１１】
2006344016.tif 000013
【図１２】
2006344016.tif 000014